(57)【要約】【課題】ノーマリーホワイト型パネルを用いた液晶表示装置において、電源投入時に生じる輝度差によってユーザーに違和感を与えていたことを課題とする。【解決手段】電源投入時のパネルの通電が始まった時から、パネルに出力する映像の制御信号が安定するまでパネルに全画面灰色表示を行い、出力する映像信号が安定した後にバックライトに通電させる制御を行う制御手段を備えることで、パネルの制御が始まる前後における輝度差が生じることを回避させる構成とした。【選択図】図１
2005221810.tif 000002
【特許請求の範囲】
【請求項１】
パネルが制御されていない時でバックライトが点灯している時は白を表示する（以下ノーマリーホワイト型の）パネルを使用している液晶表示装置において、電源立ち上げ時に前記パネルの制御が開始された後の画面の色を灰色にすることを特徴とした液晶表示装置。
【請求項２】
ノーマリーホワイト型のパネルと、前記パネルに入力された制御信号が予め定められた設定条件を満たしているか否かを判断する手段と、前記パネルの光源であるバックライトと、電源と、ＯＮ状態で前記電源から前記パネルへの通電を行う第１のスイッチと、ＯＮ状態で前記電源から前記バックライトへの通電を行う第２のスイッチを備えた液晶表示装置において、電源投入時から前記制御信号が前記設定条件を満たす状態になるまでパネルに全画面灰色表示をさせる第１の信号処理手段と、前記第１のスイッチと前記第２のスイッチと前記第１の信号処理手段を制御する第１の制御手段を備えた事を特徴とする液晶表示装置。
【請求項３】
ノーマリーホワイト型のパネルを使用している液晶表示装置において、電源立ち上げ時に前記パネルの制御が開始された後の画面の色を灰色から黒色に徐々に推移するようにしたことを特徴とした液晶表示装置。
【請求項４】
ノーマリーホワイト型のパネルと、前記パネルに入力された制御信号が予め定められた設定条件を満たしているか否かを判断する手段と、前記パネルの光源であるバックライトと、電源と、ＯＮ状態で前記電源から前記パネルへの通電を行う第１のスイッチと、ＯＮ状態で前記電源から前記バックライトへの通電を行う第２のスイッチを備えた液晶表示装置において、電源投入時から前記制御信号が前記設定条件を満たす状態になるまでパネルに全画面灰色表示から徐々に全画面黒表示をさせる第２の信号処理手段と、前記第１のスイッチと前記第２のスイッチと前記第２の信号処理手段を制御する第２の制御手段を備えた事を特徴とする液晶表示装置。
【発明の詳細な説明】
【技術分野】
【０００１】
本発明は、液晶テレビ、モニタ装置などの画像表示部に適用される液晶表示装置にかかわり、特に光源にバックライトを用いる液晶表示装置に関するものである。
【背景技術】
【０００２】
液晶パネルに入力される制御信号としては、垂直走査開始タイミングを示す垂直同期信号，水平走査開始タイミングを示す水平同期信号、有効データ期間を示すデータイネーブル信号があり、いずれもクロック信号に同期して入力される。これら制御信号のいずれも、ある一定の条件を満足しないと液晶表示装置において正常な表示が行われない。
【０００３】
電源投入時においてパネルが乱れた画像を表示することで液晶表示装置を使用するユーザーに違和感を与えることを防止するため、特開平１０−３１９９１６に示すように入力された制御信号が予め定められた設定条件を満たしているか否かを判断手段が判断し、前記設定条件を満たす状態になるまでの期間に信号処理手段が前記パネルに全画面黒表示させていた（例えば特許文献１参照）。
【特許文献１】特開平１０−３１９９１６号公報
【発明の開示】
【発明が解決しようとする課題】
【０００４】
液晶表示装置で使用されるパネルの表示方式としてはノーマリーホワイト型とノーマリーブラック型の２種類の方式をある。これら二つの違いは液晶素子に電圧をかけることによって光の透過率をあげるか下げるかの違いである。表示時により深い黒色とコントラストが得られるため、液晶表示装置ではパネルの電圧をかけていないとき画面が白い状態になるノーマリーホワイト型が採用されることが多い。
【０００５】
しかしながら、ノーマリーホワイト型のパネルを使用している液晶表示装置において、前記パネルの制御が開始される前は、前記パネルの液晶素子は白を表示する状態（光を透過する状態）でバックライトが点灯していない状態である。従来においてこの状態のパネルは外光を反射することで明るく表示（以下全画面灰色表示）されているように見えてしまう。
【０００６】
そのために電源立ち上げ時のパネルの制御が開始される前後での画面の輝度に差が生じてしまい、液晶表示装置を使用するユーザーに違和感を与えてしまうという課題があった。
【０００７】
本発明は前記課題に鑑み、電源立ち上げ時のパネルの制御が開始された後は全画面灰色表示を行うことによってパネルの制御が開始される前後での画面の輝度の差を目立たなくすることで、ユーザーに電源立ち上げ時の輝度変化による違和感を与えることがない液晶表示装置を提供するものである。
【課題を解決するための手段】
【０００８】
前記課題を解決するために、本発明の液晶表示装置は、パネルに通電されてからバックライトに通電されるまでの間は全画面灰色表示となるように前記信号処理手段を制御する制御手段を備えた事を特徴としたものである。
【発明の効果】
【０００９】
以上説明したように、パネルの制御が開始された時は全画面灰色表示にすることによって輝度の差を目立たなくすることが出来るとともに、電源立ち上げ以外のときに従来技術によって行われる全画面黒表示との輝度の差を目立たなくすることことによって、ユーザーに違和感を与えることがない液晶表示装置を提供できることが出来る。
【発明を実施するための最良の形態】
【００１０】
本願の第１の発明は、パネルが制御されていない時でバックライトが点灯している時は白を表示する（以下ノーマリーホワイト型の）パネルを使用している液晶表示装置において、電源立ち上げ時に前記パネルの制御が開始された後の画面の色を灰色にすることを特徴とした液晶表示装置であり、パネルの制御が開始される前後での画面の輝度の差を目立たなくするという作用を有する。
【００１１】
本願の第２の発明は、パネルが制御されていない時でバックライトが点灯している時は白を表示する（以下ノーマリーホワイト型の）パネルと、前記パネルに入力された制御信号が予め定められた設定条件を満たしているか否かを判断する手段と、前記パネルの光源であるバックライトと、電源と、ＯＮ状態で前記電源から前記パネルへの通電を行う第１のスイッチと、ＯＮ状態で前記電源から前記バックライトへの通電を行う第２のスイッチを備えた液晶表示装置において、電源投入時から前記制御信号が前記設定条件を満たす状態になるまでパネルに全画面灰色表示をさせる第１の信号処理手段と、前記第１のスイッチと前記第２のスイッチと前記第１の信号処理手段を制御する第１の制御手段を備えた事を特徴とする液晶表示装置であり、パネルの制御が開始される前後での画面の輝度の差を目立たなくするという作用を有する。
【００１２】
本願の第３の発明は、パネルが制御されていない時でバックライトが点灯している時は白を表示する（以下ノーマリーホワイト型の）パネルを使用している液晶表示装置において、電源立ち上げ時に前記パネルの制御が開始された後の画面の色を灰色から黒色に徐々に推移するようにしたことを特徴とした液晶表示装置であり、電源立ち上げ以外のときに従来技術によって行われる全画面黒表示と電源立ち上げ直後の全画面灰色表示との輝度の差を目立たなくするという作用を有する。
【００１３】
本願の第４の発明は、パネルが制御されていない時でバックライトが点灯している時は白を表示する（以下ノーマリーホワイト型の）パネルと、前記パネルに入力された制御信号が予め定められた設定条件を満たしているか否かを判断する手段と、前記パネルの光源であるバックライトと、電源と、ＯＮ状態で前記電源から前記パネルへの通電を行う第１のスイッチと、ＯＮ状態で前記電源から前記バックライトへの通電を行う第２のスイッチを備えた液晶表示装置において、電源投入時から前記制御信号が前記設定条件を満たす状態になるまでパネルに全画面灰色表示から徐々に全画面黒表示をさせる第２の信号処理手段と、前記第１のスイッチと前記第２のスイッチと前記第２の信号処理手段を制御する第２の制御手段を備えた事を特徴とする液晶表示装置であり、電源立ち上げ以外のときに従来技術によって行われる全画面黒表示と電源立ち上げ直後の全画面灰色表示との輝度の差を目立たなくするという作用を有する。
【００１４】
以下、本発明の一実施の形態について、図１、図２を用いて説明する。
【００１５】
（実施の形態１）
図１において、１は判断手段、２はパネル、３はバックライト、４は第１のスイッチ、５は第２のスイッチ、６は電源、７は第１の制御手段、８は第１の信号処理手段である。図２において、９は全画面灰色表示手段、１０は信号切換え手段である。
【００１６】
電源立ち上げ時に第１の制御手段７によって第１のスイッチ４がＯＮ状態になり電源６からパネル２に通電が開始される。判断手段１は前記パネル２に入力する制御信号が前記パネル２に正常な表示が行われる設定条件を満たしているかを判断し、前記設定条件を満たしていない場合、前記第１の制御手段７は第１の信号処理手段８に制御信号を出力し、全画面灰色表示手段９からの出力が前記パネル２に出力されるよう信号切換え手段１０を切換えることで、前記パネル２に全画面灰色表示を開始する。前記設定条件が満たされた時には前記第１の制御手段７は第２のスイッチ５をＯＮ状態することで電源６からバックライト３に通電を開始し、前記第１の制御手段は前記第１信号処理手段８に制御信号を出力して、前記信号切換え手段１０を切換えることで、前記第１の信号処理手段８に出力されている映像信号を前記パネル２に出力する。
【００１７】
以上説明したように、パネルの制御が開始された直後は全画面灰色表示にすることによって、パネルの制御が開始される前後での色の差を目立たなくすることが出来る。
【００１８】
以下、本発明のもう一つの実施の形態について、図３、図４、図５を用いて説明する。
【００１９】
（実施の形態２）
図３において、１は判断手段、２はパネル、３はバックライト、４は第１のスイッチ、５は第２のスイッチ、６は電源、１１は第２の制御手段、１２は第２の信号処理手段である。図４において、９は全画面灰色表示手段、１０は信号切換え手段、１３は乗算器である。また、図５においてＫは輝度設定値であり、ｔは任意に設定することの出来る時間である。
【００２０】
電源立ち上げ時に第２の制御手段１１によって第１のスイッチ４がＯＮ状態になり電源６からパネル２に通電が開始される。判断手段１は前記パネル２に入力する制御信号が前記パネル２に正常な表示が行われる設定条件を満たしているかを判断し、前記設定条件を満たしていない場合、前記第２の制御手段１１は第１の信号処理手段１２に制御信号を出力して、全画面灰色表示手段９からの出力が前記パネル２に出力されるよう信号切換え手段１０を切換えることで、前記パネル２に全画面灰色表示を開始する。全画面灰色表示を開始より任意の時間ｔが経過した後において前記設定条件が満たされない場合、全画面灰色表示手段９の出力と前記第２の制御手段１１が出力する図５に示すような時間が経過するたびに減衰する輝度設定値Ｋとを乗算器１３によって乗算させたものを前記パネル２に出力する。この制御を前記設定条件が満たされるまで繰り返す。
【００２１】
前記設定条件が満たされた時には前記第２の制御手段１１は第２のスイッチ５をＯＮ状態することで電源６からバックライト３に通電を開始し、前記第２の制御手段１１は前記第２の信号処理手段１２に制御信号を出力して、前記信号切換え手段１０を切換えることで、前記第２の信号処理手段１２に出力されている映像信号を前記パネル２に出力する。
【００２２】
以上説明したように、パネルの制御が開始された直後に複数段階で全画面灰色表示から全画面黒表示にすることによって、電源立ち上げ以外のときに従来技術によって行われる全画面黒表示と電源立ち上げ直後の全画面灰色表示との輝度の差を目立たなくすることが出来る。
【産業上の利用可能性】
【００２３】
本発明にかかる液晶表示装置は、パネルの制御が開始された時は全画面灰色表示にすることによって輝度の差を目立たなくすることが出来るとともに、電源立ち上げ以外のときに従来技術によって行われる全画面黒表示との輝度の差を目立たなくすることことによって、ユーザーに違和感を与えることがないという効果を有し、特に光源にバックライトを用いる液晶表示装置等において有用である。
【図面の簡単な説明】
【００２４】
【図１】本発明の実施の形態１における液晶表示装置の全体構成図
【図２】本発明の実施の形態１における第１の信号処理手段の内部構成図
【図３】本発明の実施の形態２における液晶表示装置の全体構成図
【図４】本発明の実施の形態２における第２の信号処理手段の内部構成図
【図５】本発明の実施の形態２における第２の制御手段が出力する輝度設定値と全画面灰色表示時からの経過時間との関係図
【図６】従来の液晶表示装置の全体構成図
【符号の説明】
【００２５】
１    判断手段
２    パネル
３    バックライト
４    第１のスイッチ
５    第２のスイッチ
６    電源
７    第１の制御手段
８    第１の信号処理手段
９    全画面灰色表示手段
１０    信号切換え手段
１１    第２の制御手段
１２    第２の信号処理手段
１３    乗算器
１４    信号処理手段
【図１】
2005221810.tif 000003
【図２】
2005221810.tif 000004
【図３】
2005221810.tif 000005
【図４】
2005221810.tif 000006
【図５】
2005221810.tif 000007
【図６】
2005221810.tif 000008